(57)【要約】【課題】  引きロープの潜在的危険性を除去するために、引きロープの代りに使用する引きあげ定位装置を提供する。【解決手段】  巻き式日よけ１０と、定位具２０を有する。定位具２０は所定の長さを有する面ファスナーにより形成する。又日よけ１０は前面と裏面を有し、複数の細長い日よけ片３０を組み合せて構成し、容易に巻きあげられる。定位具２０はこの全ての日よけ片３０の前面と裏面の最上縁から最下端まで縦方向に固く貼りつけられて、更に、下横棒４０を日よけ１０の最下端に固く連結する。下横棒４０の両端は日よけの縦両側縁から所定の長さ突き出て、二つの握り部４１を形成する。巻きあげる時は両握り部４１をにぎって、下横棒４０を裏方向に回転させ上方に巻きあげる。日よけ１０の前面および裏面にある定位具２０の面ファスナー２１が相互に接触してくっつき合い、巻きあげられた位置を維持定位する。【選択図】    図１
2006118197.tif 000002
【特許請求の範囲】
【請求項１】
日よけ体と、前記日よけ体の前面と裏面との少なくとも一面に固く設置される所定数の定位具とで構成され、手動で前記日よけ体を上に引きあげると、前記定位具が相互に連結して、前記日よけ体が引きあげられた位置に定位されることを特徴とする横式日よけの引きあげ定位装置。
【請求項２】
前記日よけ体は複数の細長い日よけ片により構成され、前記日よけ片の前面および裏面の少なくとも一面には、各一対の前記定位具が縦方向に一直線に固設されて、前記日よけ片が巻きあげられた時には前記定位具が相互に接触し且つ連結して前記日よけ体をその巻きあげた位置に定位させることを特徴とする請求項１記載の横式日よけ引きあげ定位装置。
【請求項３】
前記定位具は所定の長さを有する面ファスナーにより形成され、前記面ファスナーの上下端は前記日よけ片の上縁から下縁まで縦方向に伸びていることを特徴とする請求項２記載の横式日よけ引きあげ定位装置。
【請求項４】
前記日よけ体の下端に一横棒を固接し、前記横棒の両端は各前記日よけ片の両側縁から所定の長さ突き出て、手で握り前記日よけ体を巻きあげることが可能であることを特徴とする請求項２の記載の横式日よけの引きあげ定位装置。
【請求項５】
前記横式日よけはローマ式日よけとし、前記ローマ式日よけは複数の細長い日よけ片で構成され、前記各日よけ片はその前面および裏面の少なくとも一面の上半部と下半部に一対の定位具が固設され、前記一対の定位具は縦方向に一直線に配置され、前記各日よけ片が上に折りたたまれる時、前記一対の定位具は相互に接触し且つ連結して日よけをその折りたたんだ位置に定位することを特徴とする請求項１記載の横式日よけの引きあげ定位装置。
【請求項６】
前記定位具は所定の長さを有する面ファスナーにより形成されることを特徴とする請求項５記載の横式日よけの引きあげ定位装置。
【請求項７】
前記各日よけ片の定位具は裏面に固設していることを特徴とする請求項５記載の横式日よけの引きあげ定位装置。
【請求項８】
前記横式日よけはローマ式日よけとし、前記ローマ式日よけは、少なくとも前面および裏面の一面に複数の折り横棒が同間隔に縦方向に固設され、前記各折り横棒には少なくとも前記定位具を一個固設して、前記折り横棒の上下二本を上方におして接触させると、前記定位具が相互に連結して日よけをその位置に定位させることを特徴とする請求項１記載の横式日よけ引きあげ定位装置。
【請求項９】
前記定位具は磁石により形成していることを特徴とする請求項８記載の横式日よけの引きあげ定位装置。
【請求項１０】
前記定位具は面ファスナーにより形成していることを特徴とする請求項８記載の横式日よけの引きあげ定位装置。
【請求項１１】
前記定位具はフックにより形成していることを特徴とする請求項８記載の横式日よけの引きあげ定位装置。
【請求項１２】
前記折り横棒は木製であることを特徴とする請求項８記載の横式日よけの引きあげ定位装置。
【請求項１３】
前記折り横棒の前記定位具はその裏面に固設されていることを特徴とする請求項８記載の横式日よけの引きあげ定位装置。
【請求項１４】
前記横式日よけは布日よけとし、前記布日よけの前面および裏面の少なくとも一面には適当な間隔をへだてて複数の定位具が固設され、前記定位具は相互に連結したり離れたりすることが可能であり、前記布日よけを上に引きあげると、前記定位具は上下に相互にひっついて連結され、前記布日よけがその引きあげられた位置で定位されることを特徴とする請求項１記載の横式日よけ引きあげ定位装置。
【請求項１５】
前記定位具は所定の長さを有する面ファスナーにより形成されることを特徴とする請求項１４記載の横式日よけの引きあげ定位装置。
【請求項１６】
前記定位具は複数の磁石により形成されることを特徴とする請求項１４記載の横式日よけの引きあげ定位装置。
【請求項１７】
前記定位具は複数のフックにより形成されることを特徴とする請求項１４記載の横式日よけの引き上げ定位装置。
【請求項１８】
前記定位具は日よけの裏面に設置していることを特徴とする請求項１４記載の横式日よけの引きあげ定位装置。
【発明の詳細な説明】
【技術分野】
【０００１】
本発明は、横式日よけの引きあげ定位装置に関する。
【背景技術】
【０００２】
従来の横式日よけ、例えば、巻き上げ式日よけや、ローマ式日よけや、布日よけは普通引くための引きわを持つ引きロープを具備している。日よけを引いて巻きあげたり、たたみあげたりして、色々な高さに開いたり、又おろしたりするためにそのロープを引いて操作する。
【発明の開示】
【発明が解決しようとする課題】
【０００３】
しかしながら、従来の横式日よけのロープは引きわを持つために、若しも子供が日よけの附近で遊んでいる時にロープの引きわに首をつっこんで遊んだりするとその首を引きつられる危険が発生し易い。
【０００４】
したがって本発明の目的は、従来の横式日よけの引きロープの潜在的危険性を除去するために、引きロープの代りに使用する引きあげ定位装置を提供することにある。
【課題を解決するための手段】
【０００５】
上述の目的を達成するために本発明の請求項に記載の横式日よけの引きあげ定位装置は、横式日よけの前面および裏面の少なくとも一面に所定数の縦方向の定位具を備えている。日よけを引きあげたり、巻きあげたりした時に定位具が臨時に相互に接触し、日よけを引きあげられた位置に定位させる。又その引きあげられた日よけを引きおろしたとき、定位具が相互に離れて引きさげることが可能である。
【０００６】
本発明の定位具は相互に着脱するので日よけが容易に引きあげられたり、巻きあげられたり又引きおろされる。
【発明を実施するための最良の形態】
【０００７】
以下、本発明の実施例を図面に基づいて説明する。
本発明の横式日よけの引きあげ定位装置の第一実施例として、図１、図２および図３に示すように、巻き式日よけ１０と、定位具２０を有する。定位具２０は所定の長さを有する面ファスナーにより形成する。又日よけ１０は前面と裏面を有し、複数の細長い日よけ片３０を組み合せて構成し、容易に巻きあげられる。定位具２０はこの全ての日よけ片３０の前面と裏面の最上縁から最下端まで縦方向に固く貼りつけられて、更に、下横棒４０を日よけ１０の最下端に固く連結する。下横棒４０の両端は日よけの縦両側縁から所定の長さ突き出て、二つの握り部４１を形成する。
【０００８】
第一実施例の引きあげ定位装置を持つ横式日よけ１０では、下げられた位置から巻きあげる時は、使用者が手で両握り部４１をにぎって、下横棒４０を裏方向に回転することにより、日よけ片３０は順に上方に巻きあげられる。日よけ１０の前面と裏面にある定位具２０の面ファスナー２１が相互に接触してひっつき合うため、巻きあげられた日よけ１０をその位置に維持定位し、下にすべり落ちることを防ぐ。又巻きあげられて定位された日よけ１０を、下横棒４０をにぎり日よけ片３０を下方に巻きおろせば、日よけ１０の前面および裏面の定位具２０の面ファスナー２１は引きはなされて、日よけ１０は引きおろされた形になる。
【０００９】
次に図４、図５および図６は本発明の第二実施例を示し、ローマ式日よけ５０と定位具２０とで構成される。定位具５０は所定の長さの面ファスナー２２により形成し、ローマ式日よけ５０は細長い複数の日よけ片３０で構成する。定位具２０の面ファスナー２２は各日よけ片３０の裏面の両側に、縦に上半部と下半部に面ファスナー体を固くはり付ける。この日よけ５０を引きあげるときは各日よけ片３０の面ファスナー２２が相互にひっつく。
【００１０】
第二実施例の日よけを使用する時は、使用者が各日よけ片３０（最低のものから開始する）の下半部を後方向に上半部に折り合せれば、下半部の面ファスナー２２は上半部の面ファスナー２２と接触しひっつき合うので日よけ５０がその引きあげられた位置に定位されて下に落ちない。又そのひっついた各日よけ片３０を引きはなせば、日よけ５０は又完全に下に落ちて、閉じた状態になる。
【００１１】
更に図７、図８および図９は本発明の第三実施例を示し、ローマ式日よけ５０と複数の定位具２０と複数の折り横棒６０とで構成される。各定位具２０は磁石２３により形成される。複数の折り横棒６０は日よけ５０の裏面に等間隔に固くはりつけられる。各磁石２３は各折り横棒６０の裏面の両側に固くはり付けられる外、全部の磁石２３は縦方向に一直線になる様に配置する。
【００１２】
第三実施例を使用する時は、使用者は各折り横棒６０（通常は最低の一本から開始する）を上方の折り横棒６０におしあげて上下の磁石２３を接触させることにより、磁石２３は相互に引き合ってひっつくため日よけ５０は引きあげられた位置に定位される。又更に磁石の吸引力により日よけ５０はその引きあげた位置で定位されているのでやたらにすべり落ちて閉じた形にならない。
【００１３】
第三実施例の日よけが上に引きあげられた位置から下に引きさげて窓を閉じる時は、各磁石２３を相互に離れさせれば、各折り横棒６０も同時に相互に離れて下方に落ち、日よけ５０は完全に折りたたまれた部分が伸びて垂直になった形になって、窓を閉じる。更に第三実施例の中に使用している定位具２０の磁石２３はその代りに各種のフックや面ファスナーを使用しても同じ作用をすることが可能である。折り横棒６０を相互に引きあげて接触させるとフックや面ファスナーが相互にひっついて、日よけを引きあげて定位させる。
【００１４】
更に図面で示していないが、第四実施例として、日よけと複数の定位具で横式日よけを構成し、定位具に面ファスナーや磁石やフックを使用し、布地で作った日よけの裏面に適当な間隔をおいて縦方向に一直線になる様にはり付ける。この日よけを上に引きあげた時は、波形の形になり各上下の二個の定位具がひっついて、その位置で定位される。この横式日よけは定位具の相互脱離と相互接着により、引きあげと引きさげが簡単且つ快速に達せられる。
【００１５】
本発明の上記実施例は次の効果を有する。
１、定位具２０は巻き式日よけ１０やローマ式日よけ５０や布日よけの横式日よけを手動で引きあげて定位させたり、下におろしたりすることが可能であるため、伝統式の引きわを有する引きロープを使用しないので、それに伴う潜在的危険性がなく、至って安全である。
【００１６】
２、引きあげと定位装置は色々多種に変形可能であり、広範囲に適用可能で、一般の巻き式日よけ、ローマ式日よけ、布日よけ等に使用でき、定位具２０は種々の材料で作られるので好きこのみが異なる消費者に広く選択されて使用可能である。
【００１７】
３、各実施例の引きあげ定位装置はその定位具に簡単なよく見かける面ファスナー２１、面ファスナー２２や磁石２３などを使用しているので、日よけの引きあげ定位の操作に余り手の力を必要としない。
【図面の簡単な説明】
【００１８】
【図１】本発明の第一実施例による横式日よけの引きあげ定位装置を示す斜視図である。
【図２】本発明の第一実施例による横式日よけの引きあげ定位装置が引きあげられる状況を示す斜視図である。
【図３】本発明の第一実施例による横式日よけの引きあげ定位装置が引きあげられる状況を示す側面断面図である。
【図４】本発明の第二実施例による横式日よけの引きあげ定位装置を示す斜視図である。
【図５】本発明の第二実施例による横式日よけの引きあげ定位装置が引きあげられる状況を示す斜視図である。
【図６】本発明の第二実施例による横式日よけの引きあげ定位装置が引きあげられる状況を示す側面断面図である。
【図７】本発明の第三実施例による横式日よけの引きあげ定位装置を示す斜視図である。
【図８】本発明の第三実施例による横式日よけの引きあげ定位装置が引きあげられる状況を示す斜視図である。
【図９】本発明の第三実施例による横式日よけの引きあげ定位装置が引きあげられる状況を示す側面断面図である。
【符号の説明】
【００１９】
１０  巻きあげ式日よけ、２０  定位具、２１  面ファスナー、２２  面ファスナー、２３  磁石、３０  日よけ片、４０  下横棒、５０  ローマ式日よけ、６０  折り横棒
【図１】
2006118197.tif 000003
【図２】
2006118197.tif 000004
【図３】
2006118197.tif 000005
【図４】
2006118197.tif 000006
【図５】
2006118197.tif 000007
【図６】
2006118197.tif 000008
【図７】
2006118197.tif 000009
【図８】
2006118197.tif 000010
【図９】
2006118197.tif 000011